(57)【要約】【課題】皮膚美容のためのマスクパックの使用時に、マスクパックを顔に貼った状態で顎の部分と顔面の前部分を、適切な緊張力で引き上げ得るようにし、皮膚美容と共に皮膚のたるみと老化を防止し、ハリがあり若々しい顔の皮膚として管理可能にした、顔面引き上げ機能を有するマスクパック支持バンドを提供する。【解決手段】合成樹脂のような弾性素材で頭にかぶって固定可能な半円帯状に支持バンドを構成するが、この支持バンドは、外側面にマスクパックを引っ張って接合させるための固定クリップを備え、上端部には支持バンドを頭にかぶった状態で固定するための結束手段を備え、半円形の支持具の両端部には複数個の掛止突起を突出形成し、前記支持バンドと共に使用するマスクパックは、上端部に、一般マスクパックよりも外側方向に長く延びるように引っ張り紐を等間隔に複数個備えることにより、マスクパックを顔に貼った状態で引っ張り紐を引き上げて支持バンドに設けられている固定クリップに接合固定させ、マスクパックを顔に貼った状態で顔面を上方に引き上げるように構成する。【選択図】  図１
2020508830.tif 000002
【特許請求の範囲】
【請求項１】
支持バンド（１０）を構成する半円形支持具（２０）の外側面に細い針からなる固定クリップ（３０）を備え、該固定クリップ（３０）を用いて、マスクパックを顔に貼った状態で上方に引っ張って固定させ、半円形支持具（２０）の両端部に掛止突起（２４）を備え、該掛止突起（２４）を用いて顎引き上げバンドを固定させ、半円形支持具（２０）の上部には結束紐（４０）を備え、内側面には凹凸部（２５）を備え、両端部には上部係止フック（２１）及び下部係止フック（２２）を備えてそれらの間に挿入部（２３）が設けられるようにし、支持バンド（１０）を頭にかぶった後、結束紐（４０）によって支持バンド（１０）を頭に固定させ、凹凸部（２５）及び上下部係止フック（２１）（２２）によって支持バンド（１０）が下方に滑り落ちることなくしっかり固定されるようにしたことを特徴とする、顔面引き上げ機能を有するマスクパック支持バンド。
【請求項２】
係止フック（３２０）と挿入部（３２１）が設けられた結束支持具（３００）の上端中央部に、係止片（３３１）と上部結合溝（３３２）が設けられた上部結合具（３３０）を備え、上部結合具（３３０）の上部結合溝（３３２）に上部支持具（２００）の両端部に設けられた長さ調整片（２１０）を差し込んで上部支持具（２００）を両側結束支持具（３００）に固定させ、結束支持具（３００）の一側にねじ穴（３５１）と掛止突起（３５２）が設けられた結合部（３５０）を備え、該結合部（３５０）に掛止突起（３４５）が設けられた前面結合具（３４０）を位置させて結合部（３５０）の掛止突起（３５２）と前面結合部（３４５）の掛止突起（３４５）を並んで位置させた後、調整ボルト（３４６）で締結固定し、前面結合部（３４０）の上端に係止片（３４１）と前面結合溝（３４２）を備え、前記前面結合溝（３４２）に半円形支持具（１００）の両端部に設けられた長さ調整片（１１０）を差し込んで半円形支持具（１００）を前面結合具（３４０）に固定させることを特徴とする、顔面引き上げ機能を有するマスクパック支持バンド。
【請求項３】
上部結合具（３３０）及び前面結合具（３４０）に設けられた係止片（３３１）（３４１）に掛止突起（３３３）（３４３）を備え、上部支持具（２００）及び半円形支持具（１００）の長さ調整片（２１０）（１１０）に凹凸部（２１１）（１１１）を備えて、上部結合部（３００）及び前面結合具（３４０）に設けられた掛止突起（３３３）（３４３）と係合可能にし、上部支持具（２００）及び半円形支持具（１００）の長さを調整可能にしたことを特徴とする、請求項２に記載の顔面引き上げ機能を有するマスクパック支持バンド。
【請求項４】
半円形支持具（１００）の前面にマスクパック固定具（３８０）を結合して半円形支持具（１００）の前面に位置するマスクパックを固定可能にしたことを特徴とする、請求項２に記載の顔面引き上げ機能を有するマスクパック支持バンド。
【発明の詳細な説明】
【技術分野】
【０００１】
本発明は、顔の皮膚美容のためにマスクパックを使用するが、皮膚美容機能に加えて顔面及び顎の引き上げ機能を与えて皮膚のたるみと老化を防止することによって、ハリがあり若々しい顔の皮膚管理を可能にしたマスクパック支持バンドに関する。
【背景技術】
【０００２】
美しくて健康な外貌を作るために、整形、運動、皮膚管理などへの関心が高まっており、顔の皮膚管理の一方法としてマスクパックの需要が増えている。
【０００３】
パック（ｐａｃｋ）とは、もともと「包む」という意味で、皮膚美容物質を顔に包んで毛穴の汚れをきれいに除去し、水分と美容成分を効果的に皮膚に供給することによって、血液循環を円滑に維持して皮膚生理機能を回復させる機能性化粧品の一種である。
【０００４】
パックは様々な栄養成分を皮膚に効果的に提供でき、それらの皮膚美容成分による保湿、鎮静、角質及び老廃物の除去、疲れた皮膚の回復、弾力の増進、美白などの様々な効果を期待することができる。
【０００５】
このように皮膚美容に使われているマスクパックは、一般に、不織布や編織物シート、綿織物シートなどの様々な生地に皮膚美容組成物を吸着させてなり、これを顔に密着させて使用している。
【０００６】
前記マスクパックの場合、単純に皮膚美容組成物が吸着されたマスクパックを顔に付けるものであり、パックを使用する間にはじっと横になっていなければならず、不便である。
【０００７】
特に、前記マスクパックは、皮膚美容成分が顔に吸着されるようにし、皮膚美容の効果を期待することはできるが、顔や顎の皮膚を適切な緊張力で引き上げて、弾力を失った皮膚に弾力を与え、たるみを防止する機能を期待するには不十分な点があった。
【０００８】
このような短所を補うための手段として、マスクパックをしながら顔にハリを与えることを目的としたマスクパックが提供されたことがある。
【０００９】
このようにマスクパックをしながら顔にハリを与えることを目的とした先行技術として、韓国特許第１０−１１６６１５３号「マスクパック」（特許文献１）と、韓国公開特許第１０−２０１６−０１４４０４４号「顎の部分で交差して首を包む両腕部を有するマスクパック」（特許文献２）などが提供されたことがある。
【００１０】
前記特許文献１の技術内容を検討すると、顔の表面と顎の美容のためのシート状のマスクパックに関するものであり、一つの耳掛け部材で顎を十分に引き上げながら顔面に安定的に且つ弾力的に密着可能なマスクパックに関する。
【００１１】
また、特許文献２の技術内容を検討すると、マスクパックの顔本体の顎部に重畳切断線を置き、重畳切断線の両側に第１及び第２腕部を付加し、第１腕部と第２腕部は離隔溝の隔離距離をおいて並んで離隔され、使用時に両腕部が交差するように引っ張って重畳切断線部位が重畳するように押して顎部の固定力を増大させ、両腕部の上端外側部の顔本体部位に分離切断線を設け、交差時に両腕が通るように結合し、顔本体との摩擦力の増大によって別途の固定手段無しにも顔と首への化粧品マスクパックの接着力を維持させる、顎の部分で交差して首を包む両腕部を有するマスクパックを提供しようとした。
【００１２】
前記特許文献１及び特許文献２で提供しようとしたマスクパックの場合、マスクパック自体に顎の部分を引き上げ得る手段を設け、マスクパックをする間に顎を引き上げて顎の部分の皮膚に適切な弾力感を与えようとした。
【００１３】
したがって、既に使われている一般マスクパックと対比すると、マスクパックをすると同時に顎の部分を引き上げることができ、特許文献１の場合、マスクパックに延設された耳掛け部材を使用者の耳に掛けて固定する方法で顎を引き上げることができるが、使用者の顔の大きさに合う製品を選択して使用しなければならないので不便であり、耳掛け部材を耳に掛けて固定した状態を長く保持すると圧迫感が感じられるだけでなく、顎の引き上げ効果も不十分だった。
【００１４】
また、特許文献２の場合、マスクパックの下端に長く設けられた腕部を用いて引き上げた状態で顎の部分に緊張力を与えようとしたが、腕部が使用者の顎の部分を効果的に引き上げて緊張力を与えるには不足していた。
【００１５】
特に、特許文献１及び２の場合、主に顎の部分を引き上げて弾力感を与えようとしたが、顔の部分を上方に引っ張って顔の皮膚に弾力感を与えるための手段がないため、所望の効果を期待することができなかった。
【発明の概要】
【発明が解決しようとする課題】
【００１６】
本発明は、皮膚美容のためのマスクパックの使用時に、マスクパックを顔に貼った状態で顎の部分と顔面の前部分を適切な緊張力で引き上げることによって、皮膚美容と共に皮膚のたるみと老化を防止し、ハリがあり若々しい顔の皮膚管理を可能にしようとする。
【課題を解決するための手段】
【００１７】
上記の課題を解決するために、本発明は、合成樹脂のような弾性素材で作られ、頭にかぶって固定可能な半円帯状の支持バンドを提供する。この支持バンドは、外側面にマスクパックを引っ張って接合させるための固定クリップを備え、上端部には支持バンドを頭にかぶった状態で固定するための結束手段を備え、半円形の支持具の両端部には複数個の掛止突起を突出形成し、前記支持バンドと共に使用するマスクパックは、上端部に、一般マスクパックよりも外側方向に長く延びるように引っ張り紐を等間隔に複数個備えることにより、マスクパックを顔に貼った状態で引っ張り紐を引き上げて、支持バンドに設けられている固定クリップに接合固定させ、マスクパックを顔に貼った状態で顔面を上方に引っ張るように構成される。
【発明の効果】
【００１８】
本発明は、合成樹脂のような弾性素材で頭にかぶって固定可能な半円帯状に支持バンドを構成するが、該支持バンドは、外側面にマスクパックを引っ張って接合させるための固定クリップを備え、上端部には支持バンドを頭にかぶった状態で固定するための結束手段を備え、半円形支持具の両端部には複数個の掛止突起を突出形成し、前記支持バンドと共に使用するマスクパックは、上端部に一般マスクパックよりも外側方向に長く延びるように引っ張り紐を等間隔に複数個備え、マスクパックを顔に貼った状態で引っ張り紐を上方に引っ張って、支持バンドに設けられている固定クリップに接合固定させることによって、マスクパックを顔に貼った状態で顔面の前部分を適切な緊張力で引き上げることができ、皮膚美容と共に、皮膚のたるみと老化の防止及びハリのある顔の皮膚管理ができる等の効果がある。
【図面の簡単な説明】
【００１９】
【図１】本発明に用いられる支持バンドの斜視図である。
【図２】本発明に用いられる支持バンドの側面図である。
【図３】本発明に用いられる支持バンドの平面図である。
【図４】本発明に用いられる支持バンドの部分断面構成図である。
【図５】本発明に用いられる顎引き上げバンドの斜視図である。
【図６】本発明に用いられるマスクパックの例示図である。
【図７】本発明に用いられる顎マスクパックの例示図である。
【図８】本発明の他の実施例による支持バンドの斜視図である。
【図９】図８の支持バンドを構成する結束支持具の斜視図である。
【図１０】図９の結束支持具を他の方向から見た状態図である。
【図１１】図８の支持バンドを構成する半円形支持具の斜視図である。
【図１２】図１１の平面構成図である。
【図１３】図８の支持バンドを構成する上部支持具の斜視図である。
【図１４】図８の支持バンドに適用される結束支持具と半円形支持具及び上部支持具の結合部詳細図である。
【図１５】本発明の結束支持具に構成される上部結合具部分の断面構成図である。
【図１６】本発明の結束支持具に構成される前面結合具部分の断面構成図である。
【図１７】本発明のさらに他の実施例による支持バンドの例示図である。
【図１８】本発明に用いられるマスクパック固定のための固定具の斜視図である。
【符号の説明】
【００２０】
１０−−支持バンド          ２０−−半円形支持具
２１−−上部係止フック      ２２−−下部係止フック
２３−−挿入部              ２４−−掛止突起
２５−−凹凸部              ３０−−固定クリップ
４０−−結束紐              ４１−−ベルクロ（登録商標）テープ
５０−−顎引き上げバンド    ５１−−支え部
５２−−係止片              ５３−−係止孔
５６−−突出厚肉部          ６０−−マスクパック
６１−−引っ張り紐          ６２−−点線
７０−−顎マスクパック      ７１−−引っ張り紐
１００−−半円形支持具      １１０−−長さ調整片
１１１−−凹凸部            １２０−−固定クリップ
１２１−−突起              ２００−−上部支持具
２１０−−長さ調整片        ２１１−−凹凸部
２１２−−突起              ３００−−結束支持具
３１０−−本体              ３２０−−係止フック
３２１−−挿入部            ３２３−−結束孔
３２４−−結束紐            ３２６−−係止棒
３２７−−固定クリップ      ３３０−−上部結合具
３３１−−係止片            ３３２−−上部結合溝
３３３−−掛止突起          ３４０−−前面結合具
３４１−−係止片            ３４２−−前面結合溝
３４３−−掛止突起          ３４４−−結合孔
３４５−−掛止突起          ３４６−−調整ボルト
３５０−−結合部            ３５１−−ねじ穴
３５２−−掛止突起          ３８０−−マスクパック固定具
３８１−−固定クリップ
【発明を実施するための形態】
【００２１】
以下、本発明の実施例を添付の図面を参照して詳細に説明する。
【００２２】
図１〜図４は、本発明において、使用者の頭に着用してマスクパック６０を適切な緊張力で接合して顔面皮膚が引き上げられるようにする支持バンド１０の構成図であり、図５は、顎の部分を引き上げる機能を有する顎引き上げバンド５０の構成図であり、図６及び図７は、本発明に用いられるマスクパック６０の例示図である。
【００２３】
マスクパック６０をぴんと伸ばして接合固定する支持バンド１０は次のように構成される。
【００２４】
弾性素材で半円形支持具２０を構成し、該半円形支持具２０はヘアバンド状を有し、約４〜５ｃｍ程度の幅と０．２〜０．５ｃｍ程度の厚さで頭に楽につけるように半円形に構成される。
【００２５】
前記半円形支持具２０の幅及び厚さは限定されない。
【００２６】
半円形支持具２０の両端部には上部係止フック２１と下部係止フック２２を構成してそれらの間に挿入部２３を形成し、支持バンド１０を頭につける場合、使用者の耳部分に挿入部２３が位置するようにし、半円形支持具２０の両端部には等間隔に複数個の掛止突起２４を突出形成する。
【００２７】
半円形支持具２０の外面縁には等間隔に固定クリップ３０を一体形に構成する。該固定クリップ３０は小さくて細い針で構成し、固定クリップ３０は半円形支持具２０に接合するか或いはインサート方式で射出成形することが好ましい。
【００２８】
前記固定クリップ３０は、針形状の他に、ベルクロ（登録商標）テープや係止フックなど、マスクパックに接合固定可能な手段であればいずれも適用可能である。
【００２９】
また、半円形支持具２０の内側面には凹凸部２５を構成し、支持バンド１０を頭に付ける場合、髪の毛を挟みながら滑り落ちることなく安定して固定されるようにする。
【００３０】
支持バンド１０を構成する半円形支持具２０の上部には結束紐４０を取り付け、前記結束紐４０の端部にはベルクロ（登録商標）テープ４１を付着し、支持バンド１０を使用者の頭につけた後に結束紐４０で結束固定してよりしっかり固定されるようにする。
【００３１】
この時、支持バンド１０を構成する半円形支持具２０は、半円形に限定されず、円形に製作して使用してもよい。
【００３２】
前記支持バンド１０と一緒に使用者の顎の部分を効果的に引き上げるように顎引き上げバンド５０を使用することもできる。
【００３３】
前記顎引き上げバンドの５０はシリコン樹脂、ゴム、又は弾性バンドのように伸縮性に優れた材質で作製され、５〜１０ｃｍ程度の幅、３０〜４０ｃｍ程度の長さ、及び０．２〜０．５ｃｍ程度の厚さを有する支え部５１を備え、前記支え部５１の両側には、突出厚肉部５６と、係止孔５３及びベルクロ（登録商標）テープ５５が設けられた係止片５２が備えられる。
【００３４】
前記係止孔５３は複数個とし、顎引き上げバンドの５０を支持バンド１０の掛止突起２４に嵌めて固定する時、長さ調整によって引っ張り程度を調節することができる。
【００３５】
前記支持バンド１０と共に使用されるマスクパック６０は、図６に示すように、一般的に用いられるマスクパックの大きさが点線６２の位置だとすれば、点線６２の上側に複数個の引っ張り紐６１を長く構成し、引っ張り紐６１によって支持バンド１０の固定クリップ３０と容易に接合されるようにする。
【００３６】
また、顎の部分に使用する顎マスクパック７０も、両端部に引っ張り紐７１を長く構成し、両側の引っ張り紐７１によって、支持バンド１０の両端部に設けられた固定クリップ３０と安定して接合されるようにする。
【００３７】
本発明の他の実施例を図８〜図１６に示す。
【００３８】
すなわち、図８に示すように、支持バンド１０は、半円形支持具１００、上部支持具２００、及び両側に位置する結束支持具３００で構成し、前記結束支持具３００に半円形支持具１００及び上部支持具２００が長さ調整可能に組み立てられ、半円形支持具１００は長さ調整の他に角度調整も可能に構成する。
【００３９】
支持バンド１０を構成する半円形支持具１００、上部支持具２００、及び結束支持具３００の構成を説明する。
【００４０】
半円形支持具１００は、図１１及び図１２に示すように、合成樹脂のような弾性材質で半円形に射出成形され、両端部には凹凸部１１１が形成された長さ調整片１１０が設けられ、前記長さ調整片１００は防錆性及び弾性を持つ金属板材や樹脂板材で構成される。
【００４１】
半円形支持具１００の前面には等間隔に固定クリップ１２０が設けられる。該固定クリップ１２０は小さくて細い針で構成され、半円形支持具１００の前面に接合されてもよく、インサート方式で射出成形されてもよい。
【００４２】
前記半円形支持具１００を構成するとき、図１７に示すように、前面に固定クリップ１２０を構成せず、ベルクロ（登録商標）テープ１３０を接合させた後、別途のマスクパック固定具３８０を半円形支持具１００に結合し、マスクパックをしっかり固定させることもできる。
【００４３】
このとき、マスクパック固定具３８０の内側面に、図１８に示すように、細い針からなる固定クリップ３８１を備え、半円形支持具１００の前面に位置するマスクパックをしっかり固定させる。
【００４４】
また、半円形支持具１００の背面には突起１２１を備え、支持バンド１０を頭に付ける場合、髪の毛を挟みながら滑り落ちることなく安定して固定されるようにする。
【００４５】
上部支持具２００は、図１３に示すように、合成樹脂のような弾性材質で半円形に射出成形され、両端部には凹凸部２１１が形成された長さ調整片２１０が設けられている。該長さ調整片２１０は防錆性及び弾性を持つ金属板材や樹脂板材で構成される。
【００４６】
上部支持具２００の背面両側部には突起２１２を突出形成し、支持バンド１０を頭に付ける場合、突起２１２が髪の毛を挟みながら滑り落ちることなく安定して固定されるようにする。
【００４７】
結束支持具３００は支持バンド１０の両側に対称に構成され、図９及び図１０に示すように、合成樹脂で射出成形され、結束支持具３００を構成する本体３１０は、両側係止フック３２０の間に挿入部３１０が形成されている。
【００４８】
各係止フック３２０の外側面には細い針で構成された固定クリップ３２７と、係止棒３２６が突出形成されている。
【００４９】
結束支持具３００の本体３１０の上端中央には上部結合部３３０が設けられており、上部結合具３３０は、両側係止片３３１と上部結合溝３３２で構成され、係止片３３１の内側面には掛止突起３３３が突出形成されている。
【００５０】
結束支持具３００の本体３１０の一側には結合部３５０が設けられており、結合部３５０の中央にはねじ穴３５１と掛止突起３５２が設けられている。
【００５１】
前記結合部３５０には前面結合具３４０が回転可能に結合されるが、前面結合具３４０の下端に構成された結合孔３４４と掛止突起３４５を、結合部３５０のねじ穴３５１及び掛止突起３５２に一致させた後、結合孔３４４に調整ボルト３４６を差し込めてねじ穴３５１にねじ結合することにより、前面結合具３４０が結束支持具３００に設けられた結合部３５０に角度調整可能に組み立てられる。
【００５２】
前記前面結合具３４０の上端部には係止片３４１によって前面結合溝３４２が形成されており、係止片３４１の内側面には掛止突起３４３が突出形成されている。
【００５３】
結束支持具３００の後端部には結束孔３２３が設けられており、該結束孔３２３には結束紐３２４が連結される。
【００５４】
上記のように構成された半円形支持具１００及び上部支持具２００は両側の結束支持具３００に組み立てられる。
【００５５】
半円形支持具１００の組立は次の通りである。
【００５６】
すなわち、結束支持具３００の一側に設けられた前面結合具３４０の前面結合溝３４２上に、半円形支持具１００の両端部に設けられた長さ調整片１１０を差し込むと、長さ調整片１１０に設けられた凹凸部１１１が係止片３４１の内側に設けられた掛止突起３４３と接触しつつ差し込まれるので、半円形支持具１００の長さ調整片１１０が前面結合具３４０に挿入される程度によって半円形支持具１００の長さが調整される。
【００５７】
前面結合具３４０に差し込まれた半円形支持具１００の角度調整は、結合部３５０のねじ穴３５１に結合された調整ボルト３４６を緩めた後、所望の角度に前面結合具３４０を回転させ、再び調整ボルト３４６を締めると、前面結合具３４０に結合された半円形支持具１００の角度調整が完了する。
【００５８】
上部支持具２００の組立は次の通りである。
【００５９】
すなわち、結束支持具３００を構成する上部結合具３３０の上部結合溝３３２に、上部支持具２００の両端部に設けられた長さ調整片２１０を差し込むと、長さ調整片２１０に設けられた凹凸部１１１が係止片３３１の内側に設けられた掛止突起３３３と接触しつつ挿入されるので、上部支持具２００の長さ調整片２１０が上部結合具３３０に差し込まれる程度によって上部支持具２００の長さが調整される。
【００６０】
また、結束支持具３００に設けられた結束孔３２３には結束紐３２４を連結し、支持バンド１０の使用時に結束紐３２４を使用者の頭の後側で結束し、支持バンド１０を安定して固定させることができる。
【００６１】
このように構成された本発明の支持バンド１０を皮膚美容のためのマスクパック使用過程で使用することにより、マスクパックに吸着されている皮膚美容成分の効能に加えて、顔面を適切な張力で引き上げて皮膚のたるみと老化を予防し、ハリがあり若々しい皮膚を維持することに役立つ。
【００６２】
すなわち、支持バンド１０を使用者が頭にかぶると、半円形支持具２０が額上側の頭部に位置すると同時に、両端部に設けられた上下部係止フック２１，２２は耳の上側に位置し、上部に位置している結束紐４０のベルクロ（登録商標）テープ４１を用いて頭の上側で結束固定すると、支持バンド１０が使用者の頭にしっかり結束固定される。
【００６３】
この状態で、皮膚美容組成物が吸着されているマスクパック６０を使用者の顔の前面に載せた後、上部に位置している引っ張り紐６１を適切な張力で引っ張って半円形支持具２０の外側面に位置している固定クリップ３０に接触させると、引っ張り紐６１が固定クリップ３０に接合固定される。
【００６４】
このとき、固定クリップ３０には尖った細い針が複数個設けられており、不織布や編織物及び綿布で構成されたマスクパックの引っ張り紐６１が容易に接合固定される。
【００６５】
マスクパック６０を使用者の顔前面に付けた後、引っ張り紐６１を上方に引っ張って支持バンド１０の固定クリップ３０に接合固定させると、マスクパック６０の接合力によって顔皮膚が引き上げられるので、皮膚のたるみと老化現象を予防し、ハリがあり若々しい皮膚として効果的に管理することができる。
【００６６】
また、マスクパック６０を使用者の顔につけた状態で引っ張り紐６１を用いて支持バンド１０の固定クリップ３０にしっかり接合固定された状態を維持するので、マスクパック６０をつけた状態でも自由に行動できる便宜性がある。
【００６７】
また、顎の部分の皮膚のたるみと老化を予防するために別途の顎マスクパック７０を使用するが、図７のように構成された顎マスクパック７０を顎の下方に位置させた後、両端部に設けられた引っ張り紐７１を上方に引っ張って支持バンド１０に設けられた固定クリップ３０に接合固定させると、顎の部分の弛んだ皮膚が引き上げられつつ適切な弾力が与えられる。
【００６８】
このとき、図５のように構成された顎引き上げバンド５０を用いて顎の部分の皮膚のたるみと老化現象を予防することができる。
【００６９】
すなわち、顎マスクパック７０を顎の部分に付けた状態で顎引き上げバンド５０の支え部５１を顎の下方に位置させた後、両端部に設けられた係止片５２を上方に引っ張って、係止片５２に設けられた係止孔５３を支持バンド１０に設けられた掛止突起２４に掛けて固定すると、顎引き上げバンドの５０の伸縮性によって顎の部分の皮膚が引き上げられるので、皮膚のたるみ現象と老化を予防し、ハリがあり若々しい皮膚の管理に効果を期待することができる。
【００７０】
このとき、顎引き上げバンドの５０に突出形成された突出厚肉部５６が、顎の両側に位置する弛んだ皮膚をぴんと引っ張りながら押すので、効果的な皮膚管理を期待することができる。
【００７１】
なお、図８〜図１６のように構成された支持バンド１０も略同様に使用することができる。
【００７２】
すなわち、支持バンド１０を使用者が頭にかぶると、半円形支持具１００が額上側の頭部に位置すると同時に、両端部に設けられた結束支持具３００が耳部分に位置し、上部支持具２００は頭の上側に位置し、結束紐３２４を頭の後側で結ぶと、支持バンド１０が使用者の頭にしっかり固定される。
【００７３】
このとき、半円形支持具１００と上部支持具２００の背面に設けられた突起１２１，２１２が髪の毛を挟みつつよりしっかり固定される。
【００７４】
また、使用中に半円形支持具１００と上部支持具２００の長さを調整する場合には、前面結合具３４０及び上部結合具３３０の前面結合溝３４２及び上部結合溝３３２に差し込まれた長さ調整片１１０，２１０を引き伸ばしたり引っ込めることによって簡便に長さを調整することができる。
【００７５】
前記過程で、長さ調整片１１０，２１０に設けられた凹凸部１１１，２１１が係止片３４１，３３１の掛止突起３４３，３３３と弾力的に接するので、長さ調整片１１０，２１０を適切な長さに調整すると、外力を加えない限り、調整された状態で維持される。
【００７６】
半円形支持具１００の角度を調整する場合には、前面結合具３４０に位置している調整ボルト３４６を緩めた後、前面結合具３４０を回転させて所望の角度に調整した後、再び調整ボルト３４６を強く締めて固定させればいい。
【００７７】
この時、結束支持具３００の結合部３５０と前面結合具３４０に設けられた掛止突起３５２，３４５が噛み合うので、角度を調整した後に調整ボルト３４６を締めると、半円形支持具１００の位置は設定された角度にしっかり固定される。
【００７８】
支持バンド１０を使用者が頭にかぶった状態で皮膚美容組成物が吸着されているマスクパック６０を顔の前面に付けた後、上部に位置しているマスクパック６０を適切な張力で引き上げて半円形支持具１００の外側面に設けられた固定クリップ１２０に接触させると、マスクパック６０の上端部がクリップ１２０に接合固定される。
【００７９】
上記のように、マスクパック６０を使用者の顔前面に付けた後、上端部を上方に引っ張って支持バンド１０の固定クリップ１２０に固定させると、マスクパック６０の接合力によって顔の皮膚が上方に引き上げられるので、皮膚のたるみと老化現象を予防し、ハリがあり若々しい皮膚を保つのに効果的である。
【００８０】
また、マスクパック６０を使用者の顔につけた状態でマスクパック６０の上端部が支持バンド１０の固定クリップ１２０にしっかり接合固定された状態を維持するので、マスクパック６０をしながら自由に行動できるという便宜性もある。
【００８１】
マスクパック６０の上端部が半円形支持具１００の固定クリップ１２０に接合固定された状態でさらにしっかり接合されるように、図１８のように構成されたマスクパック固定具３８０を半円形支持具１００に等間隔に結合することができ、よりしっかりした接合を期待することができる。
【００８２】
本発明の支持バンド１０を構成するとき、図１７に示すように、半円形支持具１００の前面にベルクロ（登録商標）テープ１３０を設けた後、マスクパック固定具３８０を用いてマスクパック６０をしっかり固定することもできる。
【００８３】
すなわち、支持バンド１０を使用者が頭にかぶった後、顔に付けたマスクパック６０の上端を上方に引っ張って半円形支持具１００の前面に位置させるとベルクロ（登録商標）テープ１３０とまず接合され、この状態でマスクパック固定具３８０を嵌めてマスクパック６０を半円形支持具１００の前面に固定させる。この時、マスクパック固定具３８０の内側面には細い針からなる固定クリップ３８１が設けられており、マスクパック６０がしっかり固定される。
【００８４】
また、顎の部分の皮膚のたるみと老化を予防するために別途の顎マスクパック７０を使用するが、図７のように構成された顎マスクパック７０を顎の下方に位置させた後、両端部に設けられた引っ張り紐７１を上方に引っ張って結束支持具３００に設けられた固定クリップ３２７や係止棒３２６に固定させると、顎の部分の弛んだ皮膚が引き上げられながら適切な弾力が与えられる。
【図１】
2020508830.tif 000003
【図２】
2020508830.tif 000004
【図３】
2020508830.tif 000005
【図４】
2020508830.tif 000006
【図５】
2020508830.tif 000007
【図６】
2020508830.tif 000008
【図７】
2020508830.tif 000009
【図８】
2020508830.tif 000010
【図９】
2020508830.tif 000011
【図１０】
2020508830.tif 000012
【図１１】
2020508830.tif 000013
【図１２】
2020508830.tif 000014
【図１３】
2020508830.tif 000015
【図１４】
2020508830.tif 000016
【図１５】
2020508830.tif 000017
【図１６】
2020508830.tif 000018
【図１７】
2020508830.tif 000019
【図１８】
2020508830.tif 000020
【国際調査報告】
2020508830.tif 000021
2020508830.tif 000022
2020508830.tif 000023
2020508830.tif 000024